(57)【要約】【課題】楽な姿勢でスチームとミストを肌に当てることができ、しかも肌に当たるミスト範囲も拡大できると共にミストの粒径が小さいままミスト量を増加することができ、使用性と温冷刺激による肌の活性化効果を十分に向上させること。【解決手段】給水経路２４から供給される水を加熱して発生させたスチームを放電によりイオン化してスチームノズル１から噴出させるスチーム発生機構１０と、給水経路２４から供給される水とポンプ８から圧送される空気とを混合して得られるミストをミストノズル２から噴出させるミスト発生機構２０とを備え、スチームやミストにより温あるいは冷の熱的刺激を与えるにあたって、上記ミスト発生機構２０はミストを噴出するミストノズル２を複数個備えると共に、この複数個のミストノズル２を上記スチームノズル１の周囲に間隔をあけて配置した美容器Ｃである。【選択図】図１
2008295812.tif 000002
【特許請求の範囲】
【請求項１】
給水経路から供給される水を加熱して発生させたスチームを放電によりイオン化してスチームノズルから噴出させるスチーム発生機構と、給水経路から供給される水とポンプから圧送される空気とを混合して得られるミストをミストノズルから噴出させるミスト発生機構とを備え、スチームやミストにより温あるいは冷の熱的刺激を与える美容器であって、上記ミスト発生機構はミストを噴出するミストノズルを複数個備えると共に、この複数個のミストノズルを上記スチームノズルの周囲に間隔をあけて配置したことを特徴とする美容器。
【発明の詳細な説明】
【技術分野】
【０００１】
本発明は、美容器に関し、詳しくは使用者の肌にスチームやミストにより温あるいは冷の熱的刺激を与える美容器に関するものである。
【背景技術】
【０００２】
従来から、超音波式を利用してミストを発生させ、このミストをスチームに混合して熱くなく充分に水分を含んだもの、或いはミストとスチームとを切り替えてそれぞれを単独に、人体の肌に当てるようにした美容器が知られている（例えば特許文献１）。
【０００３】
また、超音波振動により発生させたミストに含まれる雑菌の吸引対策として、ヒータにより液体を加熱させてから霧化する方式のミスト発生機構を備えたものが知られている（例えば特許文献２参照）。
【０００４】
ところが、使用者の肌にスチームによる温とミストによる冷の熱的刺激を与えて肌の活性化効果を得る際に、ミストによる冷却効果を向上させるためにはミスト量を増加させる必要があり、その方法として、噴出空気量を増加させる方法とミストの粒径を拡大させる方法とがあるが、前者の場合は、噴出空気量が増大して使用者が空気圧迫を感じて使用性が低下してしまうことになり、後者の場合は、ミストの粒径と使用性は比例の関係にあるため、つまりミストの粒径が拡大するほど、ミストが肌に過剰に供給されて液ダレが生じ、適度な潤いを与える効果が得られず、やはり使用性が低下する結果となる。
【特許文献１】登録実用新案第３０５４７５０号公報
【特許文献２】特開平１１−９９１８９号公報
【発明の開示】
【発明が解決しようとする課題】
【０００５】
本発明は上記の従来の問題点に鑑みて発明したものであって、楽な姿勢でスチームとミストを肌に当てることができ、しかも肌に当たるミスト範囲も拡大できると共に、ミストの粒径が小さいままミスト量を増加することができ、使用性と温冷刺激による肌の活性化効果、すなわち冷却効果を十分に向上させることができる美容器を提供することを課題とするものである。
【課題を解決するための手段】
【０００６】
前記課題を解決するために本発明は、給水経路２４から供給される水を加熱して発生させたスチームを放電によりイオン化してスチームノズル１から噴出させるスチーム発生機構１０と、給水経路２４から供給される水とポンプ８から圧送される空気とを混合して得られるミストをミストノズル２から噴出させるミスト発生機構２０とを備え、スチームやミストにより温あるいは冷の熱的刺激を与える美容器であって、上記ミスト発生機構２０はミストを噴出するミストノズル２を複数個備えると共に、この複数個のミストノズル２を上記スチームノズル１の周囲に間隔をあけて配置したことを特徴としている。
【０００７】
このような構成とすることで、スチーム施術後にミスト施術を行なう際には、人体を移動させなくて済み、楽な姿勢でスチームノズル１からのスチームとミストノズル２からのミストとを肌に当てることができるようになり、しかも複数個のミストノズル２をスチームノズル１の周囲に設置することで、肌に当たるミスト範囲も拡大できると共に、ミストの粒径が小さいままミスト量を増加することができるようになる。
【発明の効果】
【０００８】
本発明に係る美容器は、スチームノズルの周囲に複数個のミストノズルを間隔をあけて設置したことにより、楽な姿勢でスチームとミストとを肌に当てることができ、しかも肌に当たるミスト範囲も拡大できると共に、ミストの粒径が小さいままミスト量を増加することができるので、使用性と温冷刺激による肌の活性化効果、すなわち冷却効果が十分に向上するものである。
【発明を実施するための最良の形態】
【０００９】
以下、本発明を添付図面に示す実施形態に基いて説明する。
【００１０】
本発明の美容器Ｃは、図２に示すように、給水タンク６から供給される水を加熱して発生させたスチームを放電によりイオン化してスチームノズル１から噴出させるスチーム発生機構１０と、給水タンク６から供給される水とポンプ８から圧送される空気とを混合して得られるミストをミストノズル２から噴出させるミスト発生機構２０とを備えると共に、上記スチームノズル１の周囲に上記ミストノズル２を複数個配置することで、スチームやミストにより温あるいは冷の熱的刺激を与えるようにしたものである。
【００１１】
先ず、スチーム発生機構１０は、給水タンク６から供給される水を加熱してスチームを発生させるスチームボイラー１１と、発生させたスチームをイオン化(微細化)するための放電部１４と、イオン化したスチームを噴出するスチームノズル１とで主体が構成されている。
【００１２】
このスチーム発生機構１０の動作形態は、給水タンク６から給水された水は給水経路１５を通ってスチームボイラー１１へと供給され、一定の水位で安定する。スチームボイラー１１によって水が加熱され、スチームとなってスチーム経路１２を通ってスチームノズル１から噴出される。このときスチーム経路１２を通る際に、放電部１４を構成する放電針によって高圧放電を受けることで、スチームがイオン化される。また、スチーム化によってスチームボイラー１１内の水が減少し水位が低下してくると一定の水位で安定しようとするため、給水タンク６からの給水が開始され、これを繰返しながらスチームがスチームノズル１から噴出するものである。
【００１３】
次に、ミスト発生機構２０は、給水経路１５の途中の分岐部Ｇに液体供給路１３の一端が接続され、液体供給路１３の他端が、ポンプ８とミストノズル２とを接続する空気の送出経路９に接続されている。
【００１４】
このミスト発生機構２０の動作形態は、ポンプ８がＯＮするとポンプ８から噴出された空気は送出経路９を通ってミストノズル２から噴出される。このときベンチュリー効果が発生するよう設計されたミストノズル２は液体供給路１３を介して液体供給路１３内の温水を吸上げてミストとして噴出する。このミストが肌に当たることで肌へ付着したミストによる水分の気化熱を奪い、更に冷却感を向上させることができるようになっている。
【００１５】
また、本美容器Ｃには、電源ボタン３と運転制御ボタン４と使用コース選択ボタン５とが設けられている。電源ボタン３は機械的スイッチとし、本体暴走時でも確実に本体動作を停止できるようにする。運転制御ボタン４は本体の運転開始と運転停止の機能を有する。使用コース選択ボタン５は任意の使用コースを選択するために用いる。各ボタン３〜５からの入力信号はマイコンで構成される制御回路７に送られる。なお、上記使用コース選択ボタン５は例えば、押す毎に使用コースが順次切り替るよう設定する。例えば、スチームによる温とミストによる冷の発生時間と繰返し回数を肌への効果が最適となるように適宜任意に設定され、例えば、温と冷を同時に肌へ与えず、温度差による肌への刺激を重視するため交互に与えるような使用コースが含まれる。
【００１６】
また上記給水経路の分岐部Ｇには、排水ボタン１８で開閉される排水経路１６が接続されており、使用後に排水ボタン１８を押して排水経路１６を開くだけで本体内の残水を分岐部Ｇから排水口１７へ容易に排水できる構造となっている。
【００１７】
ここで本発明においては、ノズルカバー１９の内部には、１個のスチームノズル１と複数個のミストノズル２とが配置されている。ミストノズル２は、図１に示すように、スチームノズル１を中心とした円周Ａ上にスチームノズル１と近接させて複数個設置されている。各ミストノズル２の大きさはスチームノズル１よりも小さく形成されている。また図１の例では、円周Ａと同心円の外側の円周Ｂ上にも４個のミストノズル２ｂ１〜２ｂ４が均等間隔で設置されている。また本例では、４個のミストノズル２ａ１〜２ａ４が円周Ａ上に均等間隔で設置され、４個のミストノズル２ｂ１〜２ｂ４が円周Ｂ上に均等間隔で設置されている。なお、図１の例では円周Ａと円周Ｂにそれぞれ、ミストノズル２をそれぞれ４個ずつ、計８個設置しているが、勿論ミストノズル２の数はこの数値には限定されない。またミストノズル２の配置を円周Ａ上、円周Ｂ上のいずれか一方のみとしてもよいものであり、要は、スチームノズル１の周囲に複数個のミストノズル２を隔設したものであればよく、ミストノズル２の数及び配置位置については適宜設計変更自在である。
【００１８】
しかして、本美容器Ｃは、１個のスチームノズル１の周囲にミストノズル２を複数個設置したので、スチームノズル１とミストノズル２とを別体にした構成でありながら、高温でスキンケアを行なうスチーム施術後に、低温ミストを肌に当てる際に、人体を移動させなくて済み、楽な姿勢でスチームノズルからのスチームとミストノズルからのミストとを肌に当てることが可能となり、使用性が良好となる。
【００１９】
ところで、スチームで温めてミストで冷やす温冷施術において、ミストにより肌の冷却効果を更に高める方法として、ミスト量を増加させる必要がある。ちなみに、ベンチュリー効果を利用してミストを噴出させる方式では、ポンプ８からの空気流速を速くすることによりミスト量を多くできるが、この場合、空気圧迫を感じて使用性が低下してしまう欠点がある。また、ミストの粒径の拡大も一手段であるが、粒径と使用性は比例の関係にあるためこれも使用性が低下してしまう欠点がある。これに対して本発明では、複数個のミストノズル２をスチームノズル１の周囲に複数個設置した構造となっているので、ミスト量を多くできると共に、各ミストノズル２の開口面積をそれぞれ小さくすることで、空気圧迫を感じることがなくなり、そのうえベンチュリー効果により空気中にミストを引き込むことになるため、ミストの温度をより低下させることができて、更なる冷却感を得ることができるものである。また複数個のミストノズル２によって肌に当たるミスト範囲も拡大できるため、使用性と温冷刺激による肌の活性化効果、すなわち冷却効果が十分に向上する。そのうえミストの粒径を小さくすることで、ミストが人体の角質層表面の隙間にまで入りやすくなり、人体の肌に充分な潤いを与える効果が十分に得られるだけでなく、ミストの過剰供給をなくすことができ液ダレ防止に効果的となる。
【００２０】
また本例ではスチームノズル１を中心とした円周上にミストノズル２を均等間隔で設置しているので、どのミストノズル２においても肌との距離が均等になるので、ミストバランスが良くなり、肌活性効果が一段と高められるものである。
【図面の簡単な説明】
【００２１】
【図１】本発明の美容器において、スチームを噴出するスチームノズルの周囲にミストを噴出するミストノズルを複数個設置した場合の一実施形態を説明する模式図である。
【図２】同上のスチーム発生機構及びミスト発生機構に関するブロック図である。
【符号の説明】
【００２２】
１  スチームノズル
２（２ａ１〜２ａ４、２ｂ１〜２ｂ４)  ミストノズル
８  ポンプ
１０  スチーム発生機構
２０  ミスト発生機構
２４  給水経路
Ｃ  美容器
【図１】
2008295812.tif 000003
【図２】
2008295812.tif 000004